(57)【特許請求の範囲】
【請求項１】
枠と枠に対して着脱自在な障子とを備え、障子は、上下框と竪框とポストユニットとを有し、上下框と竪框は、内周側見込み面に溝部を有し、ポストユニットは、室内外に連通する投函口を有すると共に、障子の上下框と竪框で囲まれる内周側と略一致した略矩形のパネル状をなしており、ポストユニットの四周端部を上下框と竪框の溝部に呑み込ませて取り付けてあるとともに、溝部にはポストユニットに替えてガラスが取り付け自在であることを特徴とするサッシ。
【請求項２】
枠は、隣接して複数配設してあることを特徴とする請求項１記載のサッシ。
【発明の詳細な説明】
【技術分野】
【０００１】
本発明は、ポストを取り付けるサッシに関するものである。
【背景技術】
【０００２】
ポストは一般に、敷地の出入口に立設されるものや、躯体の玄関出入口と併設されるものであり、このうち、玄関出入口に併設されるものは、躯体の施工時にあらかじめ壁に穴を開けるとともに、穴の中にポストユニットを埋設している。
【先行技術文献】
【特許文献】
【０００３】
特開２００３−１３５２５３号公報
【発明の概要】
【発明が解決しようとする課題】
【０００４】
ところが、特開２００３−１３５２５３号公報に開示されるようなポストは、躯体の施工と同時に間柱間に埋設されるため、一旦ポストを取り付けてしまえば、施工後の意匠変更や破損などの理由による新規ポストへの交換が容易ではなく、また、無理に交換すればポストと壁との隙間の発生などで躯体との一体感が失われてしまうため、躯体の意匠性を損なう問題があった。
本発明は、上記課題を鑑みてなされたものであり、窓枠にガラス窓を取り付けるのと同じ要領で躯体にポストの取り付けができるサッシを提供することにある。
【課題を解決するための手段】
【０００５】
本発明のうち請求項１記載の発明は、枠と枠に対して着脱自在な障子とを備え、障子は、上下框と竪框とポストユニットとを有し、上下框と竪框は、内周側見込み面に溝部を有し、ポストユニットは、室内外に連通する投函口を有すると共に、障子の上下框と竪框で囲まれる内周側と略一致した略矩形のパネル状をなしており、ポストユニットの四周端部を上下框と竪框の溝部に呑み込ませて取り付けてあるとともに、溝部にはポストユニットに替えてガラスが取り付け自在であることを特徴とする。
【０００６】
本発明のうち請求項２記載の発明では、枠は、隣接して複数配設してあることを特徴とする。
【発明の効果】
【０００８】
本発明のうち請求項１記載の発明によれば、上下框と竪框の溝部に対し、ガラスを納めるときと同じ要領でポストユニットの四周端部を呑み込ませて取り付けることができるので、施工が容易になるとともに、躯体が仕上がった後にポストを取り付けできるため、躯体とのマッチングによってポストの意匠変更が自由にできることや、ポストの破損や経年劣化による新規ポストへの交換も容易にできる。また、敷地の出入口に程近いところに居室があり、また、玄関出入口が敷地の奥まった位置にあるとき、居室の壁部に設けた枠を利用してポストを設置すれば、郵便物を玄関まで取りに行かなくても居室で郵便物を受け取れ、また、配達者の側も敷地出入口から近いところで郵便物を投函できる。さらに、上下框と竪框の溝部にガラスとポストユニットを取り付け自在で且つ選択的に呑み込ませて取り付けられることで、躯体の間取りや使用目的に合わせてポストや窓に自由に変更できる。
【０００９】
本発明のうち請求項２記載の発明によれば、連窓、段窓あるいは連段窓のように、枠を隣接して複数配設した枠内にポストもしくはガラスを有する障子を取り付けることにより、躯体の開口部を多目的に利用できる。
【図面の簡単な説明】
【００１１】
【図１】（ａ）は、本実施によるサッシの縦断面図であり、（ｂ）は、平面図である。
【図２】本実施によるサッシのポストユニットを取り付けるときの組立手順を示す斜視図である。
【図３】本実施によるサッシのガラスを取り付けるときの組立手順を示す斜視図である。
【図４】（ａ）は、本実施によるサッシの施工例を示す平面図であり、（ｂ）は、縦断面図である。
【図５】（ａ）は、連窓用の枠にポストを取り付けたときの正面図であり、（ｂ）は、段窓用の枠にポストを取り付けたときの正面図である。
【発明を実施するための形態】
【００１２】
以下に、図面に基づいて本実施によるサッシの実施の形態を説明する。
本実施によるサッシは、図１（ａ）（ｂ）のように、躯体１０の開口部１１に取付ける枠１と、枠１の内周側見込み面に固定する障子２とからなっている。枠１は、本実施のものでは玄関出入口を構成する壁部に設けてあり、壁部に室内外方向に貫通する矩形の開口部１１を形成し、その開口部１１の内周側見込み面に上下枠１ａ，１ｂと竪枠１ｃにより矩形に組まれた枠１を取り付けてある。障子２は、上下框２ａ，２ｂと竪框２ｃとを矩形に框組みしたものであり、框組みした内周側見込み面には溝部４が設けてあり、溝部４にポストユニット６の四周端部６ａを呑み込ませて取り付けてある。また、竪框２ｃの外周側見込み面の中間部には、固定金具７が取り付けてあり、一方の竪枠１ｃの内周側見込み面には受部があり、これにより、障子２を枠１の内周側見込み面に固定できる。ポストユニット６は、障子２の上下框２ａ,２ｂと竪框２ｃで囲まれる内周側とほぼ一致した肉厚の薄いほぼ矩形のパネル状をなすものであり、パネル状のほぼ中央位置に縦長矩形状に開口した郵便物１７の内側投函口８が設けてある。また、ポストユニット６の四周端部６ａは、溝部４に呑み込ませることのできる形状および肉厚で形成してあり、グレイジングビード９を取り付けてガラス障子のように框にガラスを納めるときと同じ要領で呑み込ませて組み立てることができる。また、ポストユニット６の室外側見付け面には、外側投函口１３を有する外蓋部１２が取り付けてあり、内側投函口８と外側投函口１３の二つの投函口８,１３を室内外に二重に設ける構造になっている。さらに、ポストユニット６の室内側見付け面には、ほぼ中間部に平面視して矩形リング状をなすスタンド１４が取り付けてあり、また、下部にはほぼ水平な状態の受板１５が取り付けてある。これにより、外側投函口１３が縦に長く形成してあることから、郵便物１７を縦方向にして入れるため、外側投函口１３を通過して内側投函口８から落下した郵便物１７は受板１５に一旦当たるとともに、スタンド１４によって郵便物１７が起立した状態で保持される。このようにポストが形成されることにより、従来のサッシ窓のような板ガラス１６の四周短部１６ａを溝部４に呑み込ませて取り付けるのと同じ方法でポストを設置できるので、躯体１０施工のときに、サッシの組み込みと同施工、同タイミングで設置できる。また、サッシと一体に組み込むことで玄関空間における壁部外側へのポストの張り出しが解消され、ポストと躯体１０が一体的となって意匠性が向上する。尚、符号８ａは、内側投函口８を塞ぐ開閉蓋であり、また、符号１３ａは、外側投函口１３を塞ぐ開閉蓋である。二つの開閉蓋８ａ，１３ａは、垂直軸で軸回転するとともに、バネにより室外側に向けて付勢されて内側投函口８と外側投函口１３を常に閉じる状態となっており、郵便物１７を押し入れたときに、付勢に逆らって開閉蓋８ａ，１３ａが室内側に押されて解放し、郵便物１７が室内に投函される。また、郵便物１７が投函された後は、バネの付勢により開閉蓋８ａ，１３ａが再び室外側に回動して内側投函口８と外側投函口１３を閉塞する。
【００１３】
図２（ａ）（ｂ）は、枠１と障子２および障子２を構成する上下框２ａ，２ｂ、竪框２ｃとポストユニット６の固定について説明したものである。まず、障子２とポストユニット６は、ポストユニット６の四周端部６ａの全周にわたりグレイジングビード９を取り付け、さらに、障子２の室外側見付け面に外蓋部１２を固定し、室内側見付け面にスタンド１４と受板１５を固定する。このようにして形成したポストユニット６の四周端部６ａを、対応する上下框２ａ，２ｂ、竪框２ｃのそれぞれに対応する溝部４に呑み込ませて取り付け、上下框２ａ，２ｂと竪框２ｃを四方から内方向に押さえて框組みする。これにより、上下框２ａ，２ｂおよび竪框２ｃとポストユニット６の間にグレイジングビード９が挟まることで、上下框２ａ，２ｂ、竪框２ｃとポストユニット６とが取り付く境界部分の水密性を保って障子２が形成される。
【００１４】
図３（ａ）（ｂ）は、上記実施形態で使用した枠１と障子２を構成する上下框２ａ，２ｂと竪框２ｃをそのまま使用し、ポストユニット６の代わりに板ガラス１６を取り付けるものについて説明する。本実施形態は、従来のガラス窓の施工と同じ要領で板ガラス１６の四周端部１６ａの全周にわたりグレイジングビード９を取り付け、上下框２ａ，２ｂと竪框２ｃの溝部４に、板ガラス１６の四周端部１６ａをそれぞれ呑み込ませ、上下框２ａ，２ｂと竪框２ｃを板ガラス１６側に押し込むことで障子２２を形成する。これにより、躯体１０の開口部１１をポスト、または、嵌め殺し窓にするなど、自由なレイアウトができるようになる。
【００１５】
本発明のサッシは、上記実施形態のように新たに枠組みしなくても、既設の枠に対しても、ガラス障子を取り付けるのと同じ要領で躯体１０にポストユニット６を有する障子２を取り付けることができる。また、障子２を取り付ける枠１については、上記実施形態のようにポストだけを取り付けられる大きさのものでもよいが、図５（ａ）のように連窓の枠３１や、図５（ｂ）のように、段窓の枠４１、あるいは図示は省略するが上記の連窓と段窓を複合した連段窓のいずれかの枠に、ポストユニット６を有する障子２もしくは板ガラス１８を有する障子２２を取り付け、その他の開口部には、上下框２ａ，２ｂ、竪框２ｃの溝部に呑みこませて取り付けできる四周端部を有する、インターホン１９、照明ユニット２０などを組み込んだ障子を適宜組み合わせて取り付けるなど、自由にレイアウトできる。さらに、ポストを設置する場所は、枠１，３１，４１が設けてある箇所であれば躯体１０のいずれの箇所であってもよく、例えば、図４（ａ）のように、一般的にポストが設置される図中Ｂ、Ｃの玄関出入口の左右の壁部の他、図４（ａ）中のＡ，Ｄの居室の壁部に設けた明かり窓や連窓、段窓または連段窓の枠を利用して取り付けることもできる。図４（ｂ）は、図４（ａ）中Ｄの箇所にポストを取り付けたものを示している。これは、例えば、敷地の出入口に程近いところに居室があり、また、玄関出入口が敷地の奥まった位置にあるとき、居室の壁部に設けた枠を利用してポストを設置したものである。このようにすると、郵便物１７を玄関まで取りに行かなくても居室で郵便物１７を受け取れ、また、配達者の側も敷地出入口から近いところで郵便物１７を投函できるため、配達効率が良くなる。
【符号の説明】
【００１６】
１，３１，４１  枠
１ａ  上枠
１ｂ  下枠
１ｃ  竪枠
２，２２  障子
２ａ  上框
２ｂ  下框
２ｃ  竪框
４  溝部
６  ポストユニット
６ａ  四周端部
８  内側投函口（投函口）
１１  開口部
１３  外側投函口（投函口）
１６  板ガラス（ガラス）
１６ａ  四周端部 
【図１】
0005638217.tif 000002
【図２】
0005638217.tif 000003
【図３】
0005638217.tif 000004
【図４】
0005638217.tif 000005
【図５】
0005638217.tif 000006